(57)【要約】【課題】  ペットボトルからペットボトルキャップを取り外して分別収集することを促進することができるペットボトルキャップ用分別収集箱を提供すること。【解決手段】  ペットボトル用ゴミ箱の周壁に形成された開口部と、ペットボトル用の円形孔が形成されたカバーと、の間の隙間に挿入して、この隙間に挟み込むことができる取り付け部１２０と、ペットボトルのキャップを分別収集する分別収集箱本体１１０と、を備えるペットボトルキャップ用分別収集箱１００であって、この分別収集箱本体１１０には、「キャップ入れ」の文字列が記載されている。【選択図】    図１
0003108896.tif 000002
【実用新案登録請求の範囲】
【請求項１】
周壁に形成された開口部にペットボトル用の円形孔が形成されたカバーがかけられており、該円形孔からペットボトルを前記周壁に囲まれた空間内に捨てることができるようにしたペットボトル用ゴミ箱に着脱自在に取り付けられるペットボトルキャップ用分別収集箱であって、
底面と側壁とを有する分別収集箱本体と、
前記側壁の外側に向かって延び、前記開口部と前記カバーとの間の隙間に挟み込むことができる取り付け部と、を備えることを特徴とするペットボトルキャップ用分別収集箱。
【請求項２】
前記取り付け部は、前記側壁との間の角度が０度よりも大きく、かつ、９０度以下となるように形成されていることを特徴とする請求項１に記載のペットボトルキャップ用分別収集箱。
【請求項３】
前記取り付け部は、板状部材により形成されていることを特徴とする請求項１又は２に記載のペットボトルキャップ用分別収集箱。
【請求項４】
前記取り付け部は、線状部材により形成されていることを特徴とする請求項１又は２に記載のペットボトルキャップ用分別収集箱。
【請求項５】
前記線状部材は、塑性材料により形成されていることを特徴とする請求項４に記載のペットボトルキャップ用分別収集箱。
【請求項６】
前記分別収集箱本体には、ペットボトルキャップを入れることを告知する文字、記号、図形又はこれらの組み合わせが表示されていることを特徴とする請求項１乃至５の何れか一項に記載のペットボトルキャップ用分別収集箱。
【請求項７】
前記分別収集箱本体には、貫通孔が形成されており、該貫通孔を介して前記分別収集箱本体の内部から水を抜くことができるようにしたことを特徴とする請求項１乃至６の何れか一項に記載のペットボトルキャップ用分別収集箱。
【考案の詳細な説明】
【技術分野】
【０００１】
本考案は、ペットボトル用ゴミ箱に着脱自在に取り付けられるペットボトル用分別収集箱に関する。
【背景技術】
【０００２】
平成７年１２月から施行されている容器包装に係る分別収集及び再商品化の促進等に関する法律（いわゆる容器包装リサイクル法）において、ペットボトルが分別収集の対象とされたことから、例えば、コンビニエンスストア等においては、図８に表されているゴミ箱５００のように、燃えるゴミ用のゴミ箱５０１、ペットボトル用のゴミ箱５０２、燃えないゴミ用のゴミ箱５０３が設置され、これらのゴミについて分別収集が行われている。
【０００３】
そして、ペットボトルとペットボトルに栓をするペットボトルキャップとは、材質が異なり、一般的に、ペットボトルキャップは燃えるゴミとして収集されるため、ペットボトルキャップはペットボトルから取り外して、ペットボトルとは別個に分別収集する必要がある。
【考案の開示】
【考案が解決しようとする課題】
【０００４】
しかしながら、ペットボトルからペットボトルキャップを取り外してこれらを分別収集することはあまり知られておらず、また、このような分別を行うには手間が掛かるため、このような分別収集が徹底して行われることはあまりなかった。
【０００５】
そこで、本考案は、ペットボトルからペットボトルキャップを取り外して分別収集することを促進することができるペットボトルキャップ用分別収集箱を提供する。
【課題を解決するための手段】
【０００６】
以上の課題を解決するため、本考案は、周壁に形成された開口部にペットボトル用の円形孔が形成されたカバーがかけられており、該円形孔からペットボトルを前記周壁に囲まれた空間内に捨てることができるようにしたペットボトル用ゴミ箱に着脱自在に取り付けられるペットボトルキャップ用分別収集箱であって、底面と側壁とを有する分別収集箱本体と、前記側壁の外側に向かって延び、前記開口部と前記カバーとの間の隙間に挟み込むことができる取り付け部と、を備えることを特徴とするペットボトルキャップ用分別収集箱を提供する。
【０００７】
このように、ペットボトルを入れる開口部にペットボトルキャップ用分別収集箱を取り付けておくことにより、ペットボトルをペットボトル用ゴミ箱に入れる際に必ずペットボトルキャップ用分別収集箱が目に入ることとなり、消費者にペットボトルからペットボトルキャップを取り外すことを促進することができる。
【０００８】
なお、この取り付け部については、側壁との間の角度が０度よりも大きく、かつ、９０度以下となるように形成することで、側壁に引っ掛かり落下してしまうことがなくなる。
【０００９】
ここで、分別収集箱本体をペットボトル用ゴミ箱に着脱自在に取り付ける取り付け部については、ペットボトル用ゴミ箱の周壁に形成されている開口部とカバーとの間の隙間に挿入することができるものであれば、どのような構成のものであってもよいが、例えば、板状部材や線状部材により形成することができる。
【００１０】
また、線状部材については、塑性材料により形成することで、隙間の形状や位置に合わせて取り付け部を変形させることができる。
【００１１】
なお、分別収集箱本体には、ペットボトルキャップを入れることを告知する文字、記号、図形又はこれらの組み合わせが表示しておくことで、ペットボトルからペットボトルキャップを取り外して分別収集することを促進することができる。
【００１２】
さらに、分別収集箱本体には、貫通孔を形成しておくことにより、この貫通孔を介して分別収集箱本体の内部から水を抜くことができるようにすることで、雨水等が分別収集箱本体に溜まってしまうことを防止することができる。
【考案の効果】
【００１３】
以上のように、本考案によれば、ペットボトルを捨てるペットボトル用ゴミ箱の開口部にペットボトルキャップを分別収集するためのペットボトルキャップ用分別収集箱を容易に、かつ、着脱自在に取り付けることができるため、ペットボトルからペットボトルキャップを取り外すことを促進することができる。
【００１４】
また、ペットボトルキャップを入れることを告知する文字、記号又は図形を表示しておくことで、ペットボトルからペットボトルキャップを取り外すことを告知することができる。
【００１５】
さらに、分別収集箱本体には、貫通孔が形成されているため、この貫通孔を介して分別収集箱本体の内部から水を抜くことができ、雨水等が分別収集箱本体に溜まってしまうことを防止することができる。
【考案を実施するための最良の形態】
【００１６】
図１は、本考案の第一の実施形態に係るペットボトルキャップ用分別収集箱１００の斜視図である。
【００１７】
本実施形態に係るペットボトルキャップ用分別収集箱１００は、分別収集箱本体１１０と、取り付け部１２０と、により構成されている。
【００１８】
本実施形態における分別収集箱本体１１０は、ポリプロピレンにより形成されており、矩形状の底面１１１と、この底面１１１の周囲から直立する側壁１１２と、を有しており、これらに囲まれた空間内にペットボトルのキャップを入れることができるようにされている。
【００１９】
ここで、分別収集箱本体１１０の大きさ・形状については、ペットボトルのキャップを分別して収集することができる範囲で適宜選択することができる設計事項であるが、本実施形態においては、奥行きＤ＝１６ｃｍ、幅Ｗ＝２３ｃｍ、高さＨ＝９ｃｍに形成している。
【００２０】
また、分別収集箱本体１１０の前面、即ち、後述する取り付け部１２０が取り付けられている側壁１１２Ａに対向する側壁１１２Ｂの表面には、「キャップ入れ」の文字列が記載されたステッカー１１３が貼り付けられている。
【００２１】
さらに、分別収集箱本体１１０の底面１１１には、その厚さ方向に貫通する貫通孔１１４が形成されている。
【００２２】
この貫通孔１１４は、分別収集箱本体１１０の内部に雨水等の液体が溜まってしまうことを防止するためのものであり、このような目的を達成することができる範囲でその形状・大きさ・数を適宜変更することが可能であり、また、側壁１１２に貫通孔１１４を設けることも可能である。
【００２３】
本実施形態における取り付け部１２０もポリプロピレンにより形成されており、図２（ペットボトルキャップ用分別収集箱１００の側面図）に表されているように、固定部１２１と、挿入部１２２と、により構成されている。
【００２４】
固定部１２１は、分別収集箱本体１１０の側壁１１２に密着させてネジ１３０（図１参照）で留めることにより、分別収集箱本体１１０と取り付け部１２０とを固定するための部材であり、側壁１１２に密着させることから、側壁１１２の形状に合わせて板状に形成されている。
【００２５】
なお、固定部１２１の大きさ・形状については、分別収集箱本体１１０の側壁１１２に密着させて、分別収集箱本体１１０と取り付け部１２０とを固定することができる範囲で適宜選択することができる設計事項である。
【００２６】
挿入部１２２は、図３（ペットボトル用ゴミ箱１４０及びペットボトルキャップ用分別収集箱１００の斜視図）に表されているように、ペットボトル用ゴミ箱１４０の周壁１４１に形成された開口部１４２と、ペットボトル用の円形孔１４３が形成されたカバー１４４と、の間の隙間に挿入し、この隙間に挟み込むことができるように、分別収集箱本体１１０の側壁１１２の外側に突出する板状部材により形成されている。
【００２７】
また、挿入部１２２と側壁１１２との間の角度αは、０度よりも大きく、９０度以下となるように形成することで、この挿入部１２２を開口部１４２とカバー１４４との間に挿入した際に、周壁１４１に引っ掛けることができるため、ペットボトルキャップ用分別収集箱１００が落下してしまうことを防止することができる。
【００２８】
なお、挿入部１２２の大きさ・形状については、開口部１４２とカバー１４４との間の隙間に挿入することができる範囲で適宜選択することができる設計事項である。
【００２９】
以上のように、本実施形態に係るペットボトルキャップ用分別収集箱１００を構成したので、図３に表されているように、ペットボトル用ゴミ箱１４０の周壁１４１に形成された開口部１４２と、ペットボトル用の円形孔１４３が形成されたカバー１４４と、の間の隙間に挿入部１２２を挿入して、この隙間に挟み込むことで、ペットボトル用ゴミ箱１４０にペットボトルキャップ用分別収集箱１００を着脱自在に取り付けることができるため、このペットボトル用ゴミ箱１４０にペットボトルを捨てようとする際に、ペットボトルキャップ用分別収集箱１００と「キャップ入れ」の文字列が目にはいるため、ペットボトルからペットボトルキャップを外すよう促進することができる。
【００３０】
なお、本実施形態においては、ネジ１３０を用いて、分別収集箱本体１１０と取り付け部１２０とを固定しているが、この固定方法については、接着剤を使用する等他の方法を採用することも可能である。
【００３１】
また、本実施形態においては、分別収集箱本体１１０と取り付け部１２０とを別個に作成しこれらを固定することでペットボトルキャップ用分別収集箱１００を構成しているが、これらを一体成形することも可能である。
【００３２】
さらに、本実施形態においては、分別収集箱本体１１０及び取り付け部１２０をポリプロピレンにより形成しているが、この材料に限定されるわけではなく、他の樹脂やステンレス等の金属等によって形成することも可能である。
【００３３】
また、本実施形態においては、分別収集箱本体１１０の前面に「キャップ入れ」の文字列が記載されたステッカー１１３が貼り付けられているが、このような文字列に限定されず、分別収集箱本体１１０の中にペットボトルのキャップを入れることがわかるような他の文字列や記号、図形を表すこともでき、また、ステッカー１１３に限らず、分別収集箱本体１１０に直接文字列、記号又は図形を書き込んだり彫り込んだりしてもよい。
【００３４】
さらに、これらの文字列等は、分別収集箱本体１１０の前面以外の箇所に表示してもよい。
【００３５】
図４は、本考案の第二の実施形態に係るペットボトルキャップ用分別収集箱２００の斜視図である。
【００３６】
本実施形態に係るペットボトルキャップ用分別収集箱２００は、分別収集箱本体１１０と、取り付け部２２０と、により構成されている。
【００３７】
ここで、分別収集箱本体１１０については、第一の実施形態と同様であるため、説明を省略する。
【００３８】
本実施形態においては、線状部材により取り付け部２２０を形成し、分別収集箱本体１１０の側壁１１２の外側面に二つの取り付け部２２０を所定の間隔を空けて取り付けている。
【００３９】
なお、本実施形態においても、取り付け部２２０は、図５（ペットボトルキャップ用分別収集箱２００の側面図）に表されているように、固定部２２１と、挿入部２２２と、により構成されている。
【００４０】
ここで、本実施形態においては、固定部２２１は、分別収集箱本体１１０の側壁１１２に密着させて接着剤により固定されている。
【００４１】
なお、固定部２２１の大きさ・形状については、分別収集箱本体１１０の側壁１１２に密着させて、分別収集箱本体１１０と取り付け部２２０とを固定することができる範囲で適宜選択することができる設計事項である。
【００４２】
挿入部２２２は、図７（ペットボトル用ゴミ箱１４０及びペットボトルキャップ用分別収集箱２００の斜視図）に表されているように、ペットボトル用ゴミ箱１４０の周壁１４１に形成された開口部１４２と、ペットボトル用の円形孔１４３が形成されたカバー１４４と、の間の隙間に挿入し、この隙間に挟み込むことができるように、分別収集箱本体１１０の側壁１１２の外側に突出するように形成されている。
【００４３】
また、挿入部２２２と側壁１１２との間の角度αは、０度よりも大きく、９０度以下となるように形成することで、この挿入部２２２を開口部１４２とカバー１４４との間に挿入した際に、周壁１４１に引っ掛けることができるため、ペットボトルキャップ用分別収集箱２００が落下してしまうことを防止することができる。
【００４４】
なお、挿入部２２２の大きさ・形状については、開口部１４２とカバー１４４との間の隙間に挿入することができる範囲で適宜選択することができる設計事項である。
【００４５】
また、本実施形態における取り付け部２２０は、所定の塑性を有するスチールにより形成されており、図６（ペットボトルキャップ用分別収集箱２００の上面図）に表されているように、取り付け部２２０の挿入部２２２を変形させることにより、この挿入部２２２の間の間隔Ｌを狭くしたり（図６の間隔Ｌ’）、広くしたり（図６の間隔Ｌ’’）、することができるようにしている。
【００４６】
以上のように、本実施形態に係るペットボトルキャップ用分別収集箱２００を構成したので、第一の実施形態と同様に、図３に表されているようなペットボトル用ゴミ箱１４０の周壁１４１に形成された開口部１４２と、ペットボトル用の円形孔１４３が形成されたカバー１４４と、の間の隙間に挿入部２２２を挿入し、この隙間に挟み込むことで、ペットボトル用ゴミ箱１４０にペットボトルキャップ用分別収集箱２００を着脱自在に取り付けることができる。
【００４７】
また、例えば、図７（ペットボトル用ゴミ箱１４０及びペットボトルキャップ用分別収集箱２００の斜視図）に表されているように、ペットボトル用の円形孔１４３から挿入部２２２をペットボトル用ゴミ箱１４０の内部に挿入して、この円形孔１４３に引っ掛けることもできる。
【００４８】
従って、挿入部２２２の間隔Ｌは、ペットボトル用の円形孔１４３の間隔に対応させて適宜選択すればいいが、塑性材料で形成されている挿入部２２２の間隔Ｌは、挿入部２２２の形状を変形させることで適宜変更することができるので、円形孔１４３の間隔に適宜合わせることが可能である。
【００４９】
なお、以上に記載した実施形態においては、分別収集箱本体１１０の側壁１１２の外側面に二つの取り付け部２２０を取り付けているが、これは、図７のように、ペットボトル用の円形孔１４３が二つ設けられている場合を想定したものであって、例えば、この円形孔１４３が三つ設けられている場合には、取り付け部２２０を三つ取り付ける等、適宜変更可能である。
【００５０】
また、本実施形態では、取り付け部２２２を所定の塑性を有するスチールにより形成しているが、これに限定されるわけではなく、適宜変形可能であり、かつ、ペットボトル用ゴミ箱１４０に引っ掛けた状態を保持することができる範囲で他の材料を採用することも可能である。
【図面の簡単な説明】
【００５１】
【図１】第一の実施形態に係るペットボトルキャップ用分別収集箱１００の斜視図。
【図２】ペットボトルキャップ用分別収集箱１００の側面図。
【図３】ペットボトル用ゴミ箱１４０及びペットボトルキャップ用分別収集箱１００の斜視図。
【図４】第二の実施形態に係るペットボトルキャップ用分別収集箱２００の斜視図。
【図５】ペットボトルキャップ用分別収集箱２００の側面図。
【図６】ペットボトルキャップ用分別収集箱２００の上面図。
【図７】ペットボトル用ゴミ箱１４０及びペットボトルキャップ用分別収集箱２００の斜視図。
【図８】従来のゴミ箱５００の正面図。
【符号の説明】
【００５２】
１００、２００  ペットボトルキャップ用分別収集箱
１１０  分別収集箱本体
１１１  底面
１１２  側壁
１１３  ステッカー
１１４  貫通孔
１２０、２２０  取り付け部
１２１、２２１  固定部
１２２、２２２  挿入部
【図１】
0003108896.tif 000003
【図２】
0003108896.tif 000004
【図３】
0003108896.tif 000005
【図４】
0003108896.tif 000006
【図５】
0003108896.tif 000007
【図６】
0003108896.tif 000008
【図７】
0003108896.tif 000009
【図８】
0003108896.tif 000010